(57)【要約】  【課題】トンネルの内壁に取り付けられるような照明器具において、雰囲気温度によらず、トンネル内部の照度を維持する。  【解決手段】器具本体２内に収納した放電ランプ４は制御盤により調光信号が指示されていても、周囲温度が所定の温度よりの低い場合は調光信号を無視して点灯させる。こうすることによって、周囲温度が低くランプの効率が低下する場合であっても、所望の照度でトンネルを照明することができる。  【選択図】  図２
2006216498.tif 000002
【特許請求の範囲】
【請求項１】
開口端を有するシャーシ、このシャーシに装着される投光開口を有する蓋体およびこの蓋体の投光開口に配設される透光性カバーを備えた器具本体と；
器具本体内に配設された放電ランプと；
器具本体内に配設され、外部からの調光信号によって放電ランプを調光点灯可能な点灯装置と；
を具備した照明器具であって、器具内部が所定温度より低下したときには、調光信号を無視する制御を行うこと特徴とする照明器具。
【請求項２】
開口端を有するシャーシ、このシャーシに装着される投光開口を有する蓋体およびこの蓋体の投光開口に配設される透光性カバーを備えた器具本体と；
器具本体内に配設された放電ランプと；
器具本体内に配設され、外部からの調光信号によって放電ランプを段階的に調光点灯可能な点灯装置と；
を具備した照明器具であって、器具内部が所定温度より低下したときには、調光信号よりも一段調光出力を大きくした制御を行うこと特徴とする照明器具。
【発明の詳細な説明】
【技術分野】
【０００１】
本発明は、寒冷地に使用される照明器具に関する。
【背景技術】
【０００２】
従来、トンネル用照明器具は、光源として例えば低圧ナトリウムランプや蛍光ランプなどがよく知られている。そして、比較的少数の照明器具によって、主として路面を効率よくかつ、その通行方向に沿ってなるべく連続する一様な明るさで照明できるように設計されている。このため、近年では長手方向により効率よく照明するために光源に比較的長い蛍光ランプを用いる照明器具が用いられる。
【０００３】
しかしながら、蛍光ランプは周囲温度によって効率が異なることが知られている。例えば、周囲温度が２０〜２５℃において最も効率よく発光することができるが、周囲温度が高いときや低い時ではランプ光束が非常に低下する。特に、トンネル照明器具のように屋外で用いられる器具においては、周囲温度の影響を受けやすく、ランプ効率が変化しやすいという問題があった。特に、ランプを調光点灯して使用する場合では、ランプへの入力電力が小さいため、ランプ自身も発熱しにくく、所定の照度を得られない問題があった。
【０００４】
このため特開２００４−２５９６６９号公報には、トンネル用照明器具のように密閉型の器具であって、雰囲気温度によらず、光源ランプの照度を維持し、照明効率を向上させることを目的として、放電ランプの最冷部の近傍にパネルヒータを設け、パネルヒータは放電ランプが調光点灯のときのみ動作させる照明器具が開示されている。
【特許文献１】特開２００４−２５９６６９号公報
【発明の開示】
【発明が解決しようとする課題】
【０００５】
しかしながら、このような照明器具のように、ヒータを取付けることによって器具内の配線が煩雑になり、部品が増加するため経済的に好ましくない。
【０００６】
そこで、本発明は、周囲温度によらずに照明効率を維持することのできる照明器具を提供することを目的とする。
【課題を解決するための手段】
【０００７】
請求項１の発明の照明器具は、開口端を有するシャーシ、このシャーシに装着される投光開口を有する蓋体およびこの蓋体の投光開口に配設される透光性カバーを備えた器具本体と；器具本体内に配設された放電ランプと；器具本体内に配設され、外部からの調光信号によって放電ランプを調光点灯可能な点灯装置と；を具備した照明器具であって、器具内部が所定温度より低下したときには、調光信号を無視する制御を行うこと特徴とする。
【０００８】
本発明および以下の各発明において、特に指定しない限り、用語の定義および技術的な意味は次による。
【０００９】
放電ランプは、蛍光ランプ、水銀灯、メタルハライドランプおよび無電極放電ランプなどの放電によって光を放射するランプであることを許容する。特に、低温時に効率の低下する蛍光ランプおよび無電極放電ランプに適応する事が好適である。
【００１０】
器具内部の温度の低下は例えば、例えばバイメタルなどの熱応動素子のような温度スイッチまたは温度センサとスイッチを組み合わせたものにて検知する。そうして、所定温度以下であることが検知されると調光信号を無視するように制御を行う。この制御は器具内部に温度スイッチを備えて行うことや、器具外部に設置される制御盤などで行うこともできる。このとき、器具内部に温度スイッチなどが無くても器具外部の温度などを検知して器具内部の温度とみなして制御することも許容する。
【００１１】
請求項２の発明の照明器具は、開口端を有するシャーシ、このシャーシに装着される投光開口を有する蓋体およびこの蓋体の投光開口に配設される透光性カバーを備えた器具本体と；器具本体内に配設された放電ランプと；器具本体内に配設され、外部からの調光信号によって放電ランプを段階的に調光点灯可能な点灯装置と；を具備した照明器具であって、器具内部が所定温度より低下したときには、調光信号よりも段階的に調光出力を大きくした制御を行うこと特徴とする。
【００１２】
段階的に調光可能とは、例えば安定器の出力が１００％、７５％、５０％、２５％となるように段階的に制御できるような点灯装置を用いて、例えば、調光信号が５０％の出力を要求している場合に器具内部の温度が規定値よりも低くなっていた場合に点灯装置はランプの出力が７５％となるように制御するものである。この制御もまた器具内部で行っても、器具外部に設置される制御盤などで複数台一括に制御を行っても構わない。
【発明の効果】
【００１３】
本発明によれば、周囲が低温であって器具内部の温度が上昇しないときには、ランプの調光点灯信号を無視して、または、調光信号よりも一段高出力のレベルでランプを点灯させるので、ランプの温度特性による効率の低下を見込んでランプを点灯させているため、季節に因らず所望の照度で照明することができる照明器具を提供することができる。
【発明を実施するための最良の形態】
【００１４】
本発明のトンネル用照明器具の実施形態を図１および図２を参照して説明する。なお、これらの図中、同一または相当部分には同一符号を付して、重複した説明の記載は省略または簡略化している。
【００１５】
図１は本発明の実施形態に係る例えばトンネル用の照明器具の正面図、図２は、器具本体２内部の配線図である。この図１に示すように照明器具は、例えばステンレス製等の密閉形の器具本体２内に、その投光開口に対向するように反射体３を配設し、この反射体３に光学的に対向するように屈曲形蛍光ランプ４を配設している。
【００１６】
上記器具本体２は、例えばＪＩＳ  Ｃ８１４０で規定する防噴流用器具本体等の密閉形に構成されており、如何なる方向からの水の直接噴流を受けても有害な影響が出ないように構成されており、複数の取付脚２ａ，２ａ，…を備えたシャーシ２ｂの投光開口端に、パッキン２ｃを介してほぼ長方形の投光開口を有する蓋体２ｄを装着し、この蓋体２ｄの投光開口に透光性カバー２ｅを水密かつ気密に嵌合させ、シリコン系等の接着剤２ｆにより固着している。
【００１７】
蓋体２ｃは、ヒンジ２ｇによりシャーシ２ｂに開閉可能に取り付けられ、ヒンジ２ｆの反対側にシャーシ２ｂに設けられたラッチ２ｈによって閉塞された状態が保持される。このとき、蓋体２ｃによる閉塞縁はパッキンにより水気や粉塵が浸入しないような処理が施されている。また、透光性カバー２ｅには、透明なガラス板が使用されている。
【００１８】
シャーシ２ｂの各取付脚２ａには、ネジ穴２ｅ１が形成されており、このネジ穴２ｅ１を利用してトンネル内壁６などに設けられたステー等の取り付け装置６ａにネジ止めによって固定される。
【００１９】
そして、このように構成された器具本体２内部には、主反射体３を配設している。主反射体３は長手方向横断面が凹弧面をなす内面を細長い反射面に形成している。なお、主反射面の長手方向横断面の形状は、凹状であればよく、曲面状、平面の組合せまたは曲面と平面の組合せ等どのような形状であってもよい。但し、長手方向に亘ってその主たる部分が同じ断面形状になっていることが好ましい。また、反射面は鏡面または梨地などに仕上げられており設置場所などに応じて所望の配光が得られるような形状をなしている。
【００２０】
さらに、主反射体３の内側には、屈曲形蛍光ランプ４を配設している。屈曲形蛍光ランプ４は、その軸方向一端側に設けられた片口金４ａをランプソケットに嵌め込むことで固定されている。
【００２１】
屈曲形蛍光ランプ４は、ガラス製等の放電容器、蛍光体層、一対の電極、片口金４ａ等により構成されている。放電容器は、ソーダライムガラス、鉛ガラス等の軟質ガラスや硬質ガラス、石英ガラス等の例えば１本のガラス製円管を一平面上でＵ字状に折曲して１本のＵ字状放電路を形成しており、一対の管状部４ｂ，４ｂおよび連結部４ｃを有し、１つの連続放電路の両端をフレアステムによって封止して軸方向一端部に片口金４ａを形成している。したがって、これら管状部４ｂ，４ｂと連結部４ｃは一平面上に形成されている。
【００２２】
また、器具本体２内部の主反射体３の配設されていない場所には、安定器６および端子台７が配置される。端子台７は、通常トンネル外部に設置されている電源盤１０からの２００Ｖ電源１０ａの供給、調光信号１０ｂおよび点滅信号１０ｃの入出力がされる。安定器６は、電源端子６ａ、６ｂに電源電圧２００Ｖが供給され、点滅信号１０ｃによってリレーＲ１がオンしているときにランプ４を点灯させる。調光信号１０ｂが供給されるとサーマルスイッチＳを介して調光リレーＲ２をオンさせることによって、安定器の調光端子６ｃ、６ｄが短絡され安定器６は調光動作を行う。本実施形態の場合、調光とは５０％の出力を得るための制御の場合の例である。また、端子台７を介して調光信号１０ｂ、点滅信号１０ｃは隣の器具２&#0;に送信される。
【００２３】
電源盤１０はトンネル外に設置され、時刻や交通状況などによってトンネルの各照明器具に点灯・消灯および調光の支持を行う。例えば、昼間は、トンネル内の全ての照明器具を点灯させるようにして、トンネル内外の照度差を最小限として運転者へのトンネル挿入の違和感が低減できるようにし、夜などは、トンネル内の照明器具を間引き点灯や調光点灯をして省エネするようにし、更には、交通量の少ない場合であっても最小限の照明にとどめるためランプを調光させて点灯するなどしてトンネル全体の照明器具の照明制御を行っている。
【００２４】
サーマルスイッチＳは、器具内部の温度が５℃以下であると開放するものを使用している。図３に本実施形態で使用している屈曲形蛍光ランプ４の周囲温度―全光束の温度特性グラフを示す。図３によれば、ランプ最冷部の周囲温度が２０〜４０℃において全光束が高く効率が最適となるが、温度が５℃以下となると全光束は最適温度の５０％以下となっている。このため、トンネル電源盤からの調光信号が５０％の調光信号を入力されたときでも、器具内の温度が５℃以下であるときにはランプを調光させない制御を行うことによって、ランプの出力光束が５０％程度を得ることができ、所望の明るさでトンネルを照明することを可能とした。
【００２５】
これまでは周囲温度低下し、さらに、調光点灯によってランプや安定器からの発熱が期待できないような場合、ランプの光束が著しく低下してしまい、所望の照度が得られない虞があったが、本実施形態によれば簡単な方法で、所望の照度を得ることができる。また、周囲温度が低下しているときでも、調光制御を行わず、全光点灯している場合であっては、ランプや安定器からの発熱が見込まれ、密閉された器具内においては、周囲温度が徐々に上昇していき最適温度での点灯が期待できる。
【００２６】
さらに、他の実施形態として、器具本体２の内部やサーマルスイッチＳ設けず、例えば電源盤１０の内部に温度センサを設け、調光信号端子の間に温度センサを接続して温度が所定温度以下の場合で、調光信号の発振を停止する制御を行うこともできる。
【００２７】
また、温度センサを設置することのほか、カレンダー機能やタイマ機能を利用して周囲温度が低下する時期や時間を予測して、例えば冬期の夜間には調光動作を禁止するなどの制御を行うことによっても実施することができる。
【００２８】
次に、第二の実施形態を図４を参照して説明する。図４のトンネル器具は、内部に２灯の蛍光ランプ４１,４２を備えている。外部の電源盤１０からは、調光信号として２灯を全点灯する（１００％調光）、一方のランプのみを点灯させる（５０％調光）、一方のみのランプを５０％調光にて点灯させる（２５％調光）の３段階の調光レベルにて調光を行うことができる。これらの調光レベルは交通量や時間帯によって電源盤にて調光レベルが決められる。そうして、電源盤内部に温度センサ（図示しない）を設けこの温度を器具内部の温度とみなして制御を行い、そうして例えば、調光レベルが２５％調光の時間帯であって、温度センサの検知温度が５℃以下であった場合には、実際の調光レベルを５０％調光となるように調光制御を行う。このように調光制御することによって、ランプの温度特性による効率の低下を見込んでランプを点灯させることができ、所望の明るさを得ることができる。
【図面の簡単な説明】
【００２９】
【図１】本発明の第１の実施形態照明器具の正面図。
【図２】同じく照明器具内部の回路配線を示す図。
【図３】屈曲形蛍光ランプの周囲温度―全光束の温度特性グラフ。
【図４】本発明の第２の実施形態照明器具の正面図。
【符号の説明】
【００３０】
２…器具本体  ３…主反射体  ４…光源ランプ（屈曲形蛍光ランプ）  ６・・・安定器  Ｓ・・・サーマルスイッチ
【図１】
2006216498.tif 000003
【図２】
2006216498.tif 000004
【図３】
2006216498.tif 000005
【図４】
2006216498.tif 000006